(57)【要約】【課題】光ケーブルにより無線基地局と接続された無線通信装置を備える通信システムに対して、無線基地局と無線通信装置の両方における受信品質を保つ。【解決手段】通信システム１００において、無線基地局２００と無線通信装置３００は、減衰器２５０と減衰器３５０の減衰量の調整に際して、光送信器によりテスト信号を光伝送路に送出する。次いで、自身に設けられた減衰器の減衰量を段階的に異なる複数の値に順次設定すると共に、設定された前記値毎に、光受信器により処理を施された、相手側から受信したテスト信号のエラーレートを検出する。そして、エラーレートの検出結果に基づいて、エラーレートが所望の値になるように、減衰器の目的減衰量を決定する。【選択図】図１
2014179751.tif 000002
【特許請求の範囲】
【請求項１】
無線基地局と、
光伝送路と、
前記光伝送路により前記無線基地局と接続され、前記光伝送路を介して前記無線基地局と通信を行うことにより、前記無線基地局と無線端末間の通信を中継する無線通信装置とを備え、
前記無線基地局と前記無線通信装置は、互いに送受信の相手であり、夫々が、
相手側への送信信号を前記光伝送路に送出する光送信器と、
前記光伝送路を介して相手側から受信した信号を減衰させて光受信器に入力する減衰器と、
光／電変換を含む処理を行う前記光受信器と、
前記光受信器が出力した信号のエラーレートを検出するエラーレート検出部と、
制御部とを備え、
前記無線基地局と前記無線通信装置に夫々設けられた前記減衰器の減衰量の調整に際して、
前記無線基地局と前記無線通信装置は、夫々、
前記光送信器によりテスト信号を前記光伝送路に送出し、
前記減衰器の減衰量を段階的に異なる複数の値に順次設定すると共に、設定された前記値毎に、前記エラーレート検出部により、前記光受信器により処理を施された、相手側から受信した前記テスト信号のエラーレートを検出し、
前記制御部により、前記エラーレート検出部の検出結果に基づいて、前記エラーレートが所望の値になるように、前記減衰器の目的減衰量を決定することを特徴とする通信システム。
【請求項２】
前記無線基地局と前記無線通信装置は、夫々、
前記光受信器が出力した信号をイコライジングするイコライザをさらに備え、
前記減衰器の減衰量の設定された前記値毎に、前記イコライザのゲインパラメータを段階的に異なる複数のゲイン値に順次設定し、
前記エラーレート検出部が、前記減衰器の減衰量の設定された前記値毎に、前記イコライザの設定された前記ゲイン値毎に、前記イコライザによりイコライジングされた信号に対して前記エラーレートを検出するものであり、
前記制御部が、
前記エラーレート検出部の検出結果に基づいて、前記減衰器の減衰量の設定された前記値毎に、前記エラーレートと前記ゲイン値との対応関係から、前記所望のエラーレートに対応する前記イコライザのゲインパラメータの最適値をを求め、
前記ゲインパラメータの各前記最適値のうちの、これらの最適値の平均値より大きい最適値の最小値を目的パラメータに決定して前記イコライザに設定すると共に、
前記減衰器の減衰量の設定された各前記値のうちの、前記最小値に対応する値を前記減衰器の目的減衰量に決定することを特徴とする請求項１に記載の通信システム。
【請求項３】
前記光伝送路は、一芯双方向の光ケーブルであり、
前記無線基地局と前記無線通信装置に備えられた前記減衰器は、片方のみ減衰量が調整され、
前記無線基地局と前記無線通信装置のうちの、減衰量が調整されない前記減衰器が設けられた片方である第１の装置の前記制御部は、前記減衰器の減衰量の設定された前記値毎に前記イコライザのパラメータの最適値を求める処理を行った後に、求められた各前記最適値を、前記無線基地局と前記無線通信装置のうちの、減衰量が調整される前記減衰器が設けられた片方である第２の装置に通知し、
前記第２の装置の前記制御部は、
該第２の装置の前記減衰器の減衰量の設定された各前記値における、前記イコライザに対して算出した前記ゲインパラメータの各前記最適値のうちの、これらの最適値の平均値より大きい最適値の最小値に対応する前記値を第１の仮目的減衰量として求め、
該第２の装置の前記減衰器の減衰量の設定された各前記値における、前記第１の装置から通知された各前記最適値のうちの、これらの最適値の平均値より大きい最適値の最小値に対応する前記値を第２の仮目的減衰量として求め、
前記第１の仮目的減衰量と前記第２の仮目的減衰量のうちの小さい方を前記目的減衰量に決定すると共に、前記第１の装置に通知し、
前記第２の装置の前記イコライザに対して算出した前記ゲインパラメータの各前記最適値のうちの、前記目的減衰量に対応する最適値を前記イコライザの前記目的パラメータに決定し、
前記第１の装置の前記制御部は、
前記第１の装置の前記イコライザに対して算出した前記ゲインパラメータの各前記最適値のうちの、前記第２の装置から通知された前記目的減衰量に対応するゲイン値を前記イコライザの前記目的パラメータに決定することを特徴とする請求項２に記載の通信システム。
【請求項４】
光伝送路を介して無線通信装置と接続され、該無線通信装置により、無線端末との通信を中継される無線基地局であって、
前記無線通信装置への送信信号を前記光伝送路に送出する光送信器と、
前記光伝送路を介して前記無線通信装置から受信した信号を減衰させて光受信器に入力する第１の減衰器と、
光／電変換を含む処理を行う前記光受信器と、
前記光受信器が出力した信号のエラーレートを検出するエラーレート検出部と、
制御部とを備え、
前記第１の減衰器と、前記無線通信装置に設けられた第２の減衰器の減衰量の調整に際して、
前記光送信器によりテスト信号を前記光伝送路に送出し、
前記第１の減衰器の減衰量を段階的に異なる複数の値に順次設定すると共に、設定された前記値毎に、前記エラーレート検出部により、前記光受信器により処理を施された、前記無線通信装置から受信した前記テスト信号のエラーレートを検出し、
前記制御部により、前記エラーレート検出部の検出結果に基づいて、前記エラーレートが所望の値になるように、前記第１の減衰器の目的減衰量を決定することを特徴とする無線基地局。
【請求項５】
前記光受信器が出力した信号をイコライジングする第１のイコライザをさらに備え、
前記第１の減衰器の減衰量の設定された前記値毎に、前記第１のイコライザのゲインパラメータを段階的に異なる複数のゲイン値に順次設定し、
前記エラーレート検出部が、前記第１の減衰器の減衰量の設定された前記値毎に、前記第１のイコライザの設定された前記ゲイン値毎に、前記第１のイコライザによりイコライジングされた信号に対して前記エラーレートを検出するものであり、
前記制御部が、
前記エラーレート検出部の検出結果に基づいて、前記第１の減衰器の減衰量の設定された前記値毎に、前記エラーレートと前記ゲイン値との対応関係から、前記所望のエラーレートに対応する前記第１のイコライザのゲインパラメータの最適値をを求め、
前記ゲインパラメータの各前記最適値のうちの、これらの最適値の平均値より大きい最適値の最小値を目的パラメータに決定して前記第１のイコライザに設定すると共に、
前記第１の減衰器の減衰量の設定された各前記値のうちの、前記最小値に対応する値を前記第１の減衰器の目的減衰量に決定することを特徴とする請求項４に記載の無線基地局。
【請求項６】
前記光伝送路は、一芯双方向の光ケーブルであり、
前記無線基地局に設けられた前記第１の減衰器と、前記無線通信装置に設けられた前記第２の減衰器のうちに、前記第１の減衰器のみ減衰量が調整され、
前記制御部は、
前記第１の減衰器の減衰量の設定された各前記値における、前記第１のイコライザに対して算出した前記ゲインパラメータの各前記最適値のうちの、これらの最適値の平均値より大きい最適値の最小値に対応する前記値を第１の仮目的減衰量として求め、
前記第１の減衰器の減衰量の設定された各前記値における、前記無線通信装置から通知された、該無線通知装置に設けられた第２のイコライザに対して算出されたゲインパラメータの各最適値のうちの、これらの最適値の平均値より大きい最適値の最小値に対応する前記値を第２の仮目的減衰量として求め、
前記第１の仮目的減衰量と前記第２の仮目的減衰量のうちの小さい方を前記第１の減衰器の目的減衰量に決定すると共に、前記無線通信装置に通知し、
前記第１のイコライザに対して算出した前記ゲインパラメータの各前記最適値のうちの、前記目的減衰量に対応する最適値を前記第１のイコライザの前記目的パラメータに決定することを特徴とする請求項５に記載の無線基地局。
【請求項７】
前記光伝送路は、一芯双方向の光ケーブルであり、
前記無線基地局に設けられた前記第１の減衰器と、前記無線通信装置に設けられた前記第２の減衰器のうちに、前記第２の減衰器のみ減衰量が調整され、
前記制御部は、
前記第１の減衰器の減衰量の設定された前記値毎に前記第１のイコライザのパラメータの最適値を求める処理を行った後に、求められた各前記最適値を、前記無線通信装置に通知し、
各前記最適値のうちの、前記無線通信装置から通知された前記第２の減衰器の目的減衰量に対応する最適値を前記第１のイコライザの目的パラメータに決定することを特徴とする請求項５に記載の無線基地局。
【請求項８】
光伝送路を介して無線基地局と接続され、無線基地局と無線端末間の通信を中継する無線通信装置であって、
前記無線基地局への送信信号を前記光伝送路に送出する光送信器と、
前記光伝送路を介して前記無線基地局から受信した信号を減衰させて光受信器に入力する第２の減衰器と、
光／電変換を含む処理を行う前記光受信器と、
前記光受信器が出力した信号のエラーレートを検出するエラーレート検出部と、
制御部とを備え、
前記第２の減衰器と、前記無線基地局に設けられた第１の減衰器の減衰量の調整に際して、
前記光送信器によりテスト信号を前記光伝送路に送出し、
前記第２の減衰器の減衰量を段階的に異なる複数の値に順次設定すると共に、設定された前記値毎に、前記エラーレート検出部により、前記光受信器により処理を施された、前記無線基地局から受信した前記テスト信号のエラーレートを検出し、
前記制御部により、前記エラーレート検出部の検出結果に基づいて、前記エラーレートが所望の値になるように、前記第２の減衰器の目的減衰量を決定することを特徴とする無線通信装置。
【請求項９】
前記光受信器が出力した信号をイコライジングする第２のイコライザをさらに備え、
前記第２の減衰器の減衰量の設定された前記値毎に、前記第２のイコライザのゲインパラメータを段階的に異なる複数のゲイン値に順次設定し、
前記エラーレート検出部が、前記第２の減衰器の減衰量の設定された前記値毎に、前記第２のイコライザの設定された前記ゲイン値毎に、前記第２のイコライザによりイコライジングされた信号に対して前記エラーレートを検出するものであり、
前記制御部が、
前記エラーレート検出部の検出結果に基づいて、前記第２の減衰器の減衰量の設定された前記値毎に、前記エラーレートと前記ゲイン値との対応関係から、前記所望のエラーレートに対応する前記第２のイコライザのゲインパラメータの最適値をを求め、
前記ゲインパラメータの各前記最適値のうちの、これらの最適値の平均値より大きい最適値の最小値を目的パラメータに決定して前記第２のイコライザに設定すると共に、
前記第２の減衰器の減衰量の設定された各前記値のうちの、前記最小値に対応する値を前記第２の減衰器の目的減衰量に決定することを特徴とする請求項８に記載の無線通信装置。
【請求項１０】
前記光伝送路は、一芯双方向の光ケーブルであり、
前記無線基地局に設けられた前記第１の減衰器と、前記無線通信装置に設けられた前記第２の減衰器のうちに、前記第２の減衰器のみ減衰量が調整され、
前記制御部は、
前記第２の減衰器の減衰量の設定された各前記値における、前記第２のイコライザに対して算出した前記ゲインパラメータの各前記最適値のうちの、これらの最適値の平均値より大きい最適値の最小値に対応する前記値を第１の仮目的減衰量として求め、
前記第２の減衰器の減衰量の設定された各前記値における、前記無線基地局から通知された、該無線基地局に設けられた第１のイコライザに対して算出されたゲインパラメータの各最適値のうちの、これらの最適値の平均値より大きい最適値の最小値に対応する前記値を第２の仮目的減衰量として求め、
前記第１の仮目的減衰量と前記第２の仮目的減衰量のうちの小さい方を前記第２の減衰器の目的減衰量に決定すると共に、前記無線基地局に通知し、
前記第２のイコライザに対して算出した前記ゲインパラメータの各前記最適値のうちの、前記目的減衰量に対応する最適値を前記第２のイコライザの前記目的パラメータに決定することを特徴とする請求項９に記載の無線通信装置。
【発明の詳細な説明】
【技術分野】
【０００１】
本発明は、光ケーブルにより無線基地局と接続された無線通信装置を備える通信システム及び該通信システムにおける上記無線基地局と無線通信装置に関する。
【背景技術】
【０００２】
移動体通信の分野において、無線基地局のカバーエリアを補完するなどの目的から、前進基地局が用いられている。前進基地局は、光ケーブルにより無線基地局と接続され、無線端末と無線通信を行い、無線基地局と通信を行うことにより、無線端末と無線基地局間の通信を中継する。本明細書において、前進基地局のような、光ケーブルにより無線基地局と接続され、無線端末と無線基地局との間の通信を中継する装置を統一して「無線通信装置」という。また、無線基地局から無線通信装置へ向かう方向を「下り」といい、無線通信装置から無線基地局へ向かう方向を「上り」という。
【０００３】
上述した無線通信装置を備えた通信システムに対して、種々の視点からの技術が提案されている。
【０００４】
例えば、特許文献１に開示されたシステムにおいて、無線基地局は、パイロット信号を下り送信信号に多重して送信し、無線通信装置は、受信した信号からパイロット信号を分離して、パイロット信号のレベルに応じた利得制御信号を生成して、信号レベルが例えば無線端末の受信ダイナミック内に収まるように、無線通信装置から無線端末へ送出する信号に施す利得を制御する。また、無線通信装置は、無線基地局から受信した信号から分離したパイロット信号のレベルに応じた利得制御信号を生成して、信号レベルが例えば無線基地局の受信ダイナミックレンジに収まるように、無線通信装置から無線基地局へ送出する信号に施す利得を制御する。該システムの目的は、簡単な構成で上り方向及び下り方向の信号のレベルを自動的に調整することにある。
【０００５】
また、特許文献２に開示されたシステムにおいて、無線基地局（該文献における「センター局」）は、第１の光可変減衰器と監視制御装置を備え、無線通知装置（該文献における「ノード光伝送装置」）は、第２の光可変減衰器とステータスモニタ回路を備える。無線基地局は、監視制御装置により、無線通信装置に送信する信号（下り方向の信号）と無線通信装置から受信する信号（上り方向の信号）の送受信状態を監視すると共に、第１の光可変減衰器の減衰量を規定値に設定する。無線通信装置は、ステータスモニタ回路により、無線基地局に送信する信号（上り方向の信号）と無線基地局から受信する信号（下り方向の信号）の送受信状態を監視すると共に、第２の光可変減衰器の減衰量を規定値に設定する。該システムの目的は、上り方向の信号を受信する基地局内の光受信器に入力される信号のレベルと、下り方向の信号を受信する無線通信装置内の光受信器に入力される信号のレベルが過大にならないように調整すると共に、該調整をリアルタイムでできるようにすることにある。
【先行技術文献】
【特許文献】
【０００６】
【特許文献１】特開２００６−０２５２９３号公報
【特許文献２】特開２０００−３０７５１９号公報
【発明の概要】
【発明が解決しようとする課題】
【０００７】
ところが、無線基地局と無線通信装置に備えられた光受信器は、定められた規格を満たしていても、入力される信号のレベルによっては、個体間で受信感度の能力や特性などにばらつきがあり、エラーレートの増大などの受信品質の劣化が生じる場合がある。例えば、受信感度規格の上限、下限付近の領域や、特定の入力レベル領域に受信感度の劣化がある。特に、近年、高伝送レート化、受信感度規格のレンジ拡張化などで、広い範囲の入力レベルで安定した受信品質が保たれなくなるなど、光受信器の能力に限界が近づきつつあるため、品質の劣化が大きくなり、装置交換など発生する可能性があるのが現状である。
【０００８】
本発明は、上記事情に鑑みてなされたものであり、光ケーブルにより無線基地局と接続された無線通信装置を備える通信システムに対して、無線基地局と無線通信装置の両方における受信品質を保つ技術を提供する。
【課題を解決するための手段】
【０００９】
本発明の１つの態様は、通信システムである。該通信システムは、無線基地局、光伝送路、無線通信装置を備える。
【００１０】
前記無線通信装置は、前記光伝送路により前記無線基地局と接続され、前記光伝送路を介して前記無線基地局と通信を行うことにより、前記無線基地局と無線端末間の通信を中継する。
【００１１】
前記無線基地局と前記通信装置は、互いに送受信の相手であり、夫々が、相手側への送信信号を前記光伝送路に送出する光送信器、前記光伝送路を介して相手側から受信した信号を減衰させて光受信器に入力する減衰器、光／電変換を含む処理を行う前記光受信器と、前記光受信器が出力した信号のエラーレートを検出するエラーレート検出部、制御部を備える。
【００１２】
前記無線基地局と前記無線通信装置に夫々設けられた前記減衰器の減衰量の調整に際して、前記無線基地局と前記無線通信装置は、夫々、前記光送信器によりテスト信号を前記光伝送路に送出する。次いで、前記減衰器の減衰量を段階的に異なる複数の値に順次設定すると共に、設定された前記値毎に、前記エラーレート検出部により、前記光受信器により処理を施された、相手側から受信した前記テスト信号のエラーレートを検出する。そして、前記制御部により、前記エラーレート検出部の検出結果に基づいて、前記エラーレートが所望の値になるように、前記減衰器の目的減衰量を決定する。
【００１３】
なお、上記態様の通信システムを装置や方法に置き換えて表現したものや、該通信システムに含まれる無線基地局及び無線通信装置なども、本発明の態様としては有効である。
【発明の効果】
【００１４】
本発明にかかる技術によれば、光ケーブルにより無線基地局と接続された無線通信装置を備える通信システムに対して、無線基地局と無線通信装置の両方における受信品質を保つことができる。
【図面の簡単な説明】
【００１５】
【図１】第１の実施の形態にかかる通信システムを示す図である。
【図２】図１に示す通信システムにおける無線基地局の制御部による減衰量の調整を説明するための図である（その１）。
【図３】図１に示す通信システムにおける無線基地局の制御部による減衰量の調整を説明するための図である（その２）。
【図４】図１に示す通信システムにおける無線通信装置の制御部による減衰量の調整を説明するための図である（その１）。
【図５】図１に示す通信システムにおける無線通信装置の制御部による減衰量の調整を説明するための図である（その２）。
【図６】図１に示す通信システムにおける処理の流れを示すフローチャートである。
【図７】第２の実施の形態にかかる通信システムを示す図である。
【図８】図７に示す通信システムにおける無線基地局側の制御部が作成したテーブルの例を示す図である。
【図９】図７に示す通信システムにおける無線通信装置側の制御部が作成したテーブルの例を示す図である。
【図１０】図７に示す通信システムにおける無線基地局側の減衰器の目的減衰量と、無線基地局及び無線通信装置側のイコライザの目的パラメータ変数の決定を説明するための図である。
【図１１】図７に示す通信システムにおける処理の流れを示すフローチャートである。
【発明を実施するための形態】
【００１６】
以下、図面を参照して本発明の実施の形態について説明する。説明の明確化のため、以下の記載及び図面は、適宜、省略、及び簡略化がなされている。また、様々な処理を行う機能ブロックとして図面に記載される各要素は、ハードウェアとソフトウェア（プログラム）の組合せによっていろいろな形で実現できることは当業者には理解されるところであり、ハードウェアとソフトウェアのいずれかに限定されるものではない。なお、各図面において、同一の要素には同一の符号が付されており、必要に応じて重複説明は省略されている。
【００１７】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１８】
＜第１の実施の形態＞
図１は、第１の実施の形態にかかる通信システム１００を示す。通信システム１００は、無線基地局２００と無線通信装置３００を備える。無線通信装置３００は、光伝送路により無線基地局２００と接続されており、該光伝送路を介して無線基地局２００と光通信が可能であると共に、無線端末と無線通信を行うことができ、無線端末と無線基地局２００間の通信を中継する。分かりやすいように、図１において、下り信号の流れる経路を点線で示し、上り信号の流れる経路を実線で示す。
【００１９】
本実施の形態の通信システム１００において、無線基地局２００と無線通信装置３００を接続する光伝送路は、２芯単方向の光伝送路であり、下り信号を伝送する光ケーブル１０２と、上り信号を伝送する光ケーブル１０４を含む。
【００２０】
無線基地局２００は、信号処理部２１０、変換部２２０、イコライザ（図中ＥＱ）２３０、光モジュール２４０、減衰器２５０、制御部２６０を備える。無線通信装置３００は、信号処理部３１０、変換部３２０、イコライザ（図中ＥＱ）３３０、光モジュール３４０、減衰器３５０、制御部３６０を備える。
【００２１】
無線基地局２００において、信号処理部２１０は、テストデータ出力部２１１とエラーレート検出部２１２を備え、変換部２２０は、パラレル／シリアル変換部（図中Ｐ／Ｓ変換部）２２１とシリアル／パラレル変換部（図中Ｓ／Ｐ変換部）２２２を備える。また、光モジュール２４０は、光／電変換部２４２、光／電変換部２４２、光出力部２４３、光入力部２４４を備える。
【００２２】
無線通信装置３００において、信号処理部３１０は、テストデータ出力部３１１とエラーレート検出部３１２を備え、変換部３２０は、パラレル／シリアル変換部（図中Ｐ／Ｓ変換部）３２１とシリアル／パラレル変換部（図中Ｓ／Ｐ変換部）２２２を備える。また、光モジュール３４０は、電／光変換部３４１、光／電変換部３４２、光出力部３４３、光入力部３４４を備える。
【００２３】
本実施の形態の通信システム１００は、「調整モード」と「通常モード」の２つのモードに対応する。「調整モード」は、減衰器２５０と減衰器３５０の減衰量の調整時のモードであり、「通常モード」は、通常通信の時のモードである。
【００２４】
無線基地局２００と無線通信装置３００の各機能ブロックの詳細について、まず、下り信号と関連する構成要素を説明する。
【００２５】
＜無線基地局２００側＞
信号処理部２１０におけるテストデータ出力部２１１は、制御部２６０により制御され、調整モード時にのみ動作する。テストデータ出力部２１１は、調整モード時に、テストデータを変換部２２０のパラレル／シリアル変換部２２１に出力する。テストデータ出力部２１１から出力されるテストデータは、例えば、擬似パターンとして一般的に使用されているＰＲＢＳ（Ｐｓｅｕｄｏ  Ｒａｎｄｏｍ  Ｂｉｔ  Ｓｔｒｅａｍ：擬似ランダムビット配列）である。
【００２６】
なお、通常モード時には、信号処理部２１０は、通常の通信データをパラレル／シリアル変換部２２１に出力する。
【００２７】
変換部２２０において、パラレル／シリアル変換部２２１は、パラレルデータである信号処理部２１０からのデータ（通常モード時には通常の通信データ、調整モード時にはテストデータ）をシリアルデータに変換して光モジュール２４０の電／光変換部２４１に出力する。
【００２８】
光モジュール２４０において、電／光変換部２４１と光出力部２４３は、光送信器を構成する。電／光変換部２４１は、パラレル／シリアル変換部２２１により得られたシリアルデータを光信号に変換して光出力部２４３に出力する。光出力部２４３は、増幅器やバッファなどにより構成され、電／光変換部２４１により得られた光信号に対して増幅などの処理を施して光ケーブル１０２に送出する。
【００２９】
＜無線通信装置３００側＞
無線基地局２００から、具体的には、光モジュール２４０の光出力部２４３から送出された光信号は、光ケーブル１０２を介して、無線通信装置３００の減衰器３５０に入力される。
【００３０】
減衰器３５０は、減衰量が設定されており、光ケーブル１０２を介して入力された光信号を設定量の分減衰させて光モジュール３４０の光入力部３４４に出力する。
【００３１】
光モジュール３４０において、光入力部３４４と光／電変換部３４２は、光受信器を構成する。光入力部３４４は、増幅器やバッファなどにより構成され、減衰器３５０により減衰された光信号に対して増幅などの処理を施して光／電変換部３４２に出力する。
【００３２】
光／電変換部３４２は、光入力部３４４からの光信号を電気信号に変換してイコライザ３３０に出力する。
【００３３】
また、光モジュール３４０において、レベル測定部３４６は、制御部３６０により制御され、調整モード時にのみ動作する。レベル測定部３４６は、調整モード時に、光入力部３４４に入力される光信号のレベルを測定して制御部３６０に通知する。
【００３４】
イコライザ３３０は、光／電変換部３４２により得られた電気信号に対して、波形最適化処理（イコライジング）を施して変換部３２０のシリアル／パラレル変換部３２２に出力する。
【００３５】
シリアル／パラレル変換部３２２は、シリアルデータであるイコライザ３３０からのデータをパラレルデータに変換して信号処理部３１０に出力する。
【００３６】
信号処理部３１０において、シリアル／パラレル変換部３２２からのパラレルデータは、図示しない後段の機能ブロックに出力されると共に、エラーレート検出部３１２に入力される。
【００３７】
エラーレート検出部３１２は、制御部３６０により制御され、調整モード時にのみ動作する。エラーレート検出部３１２は、調整モード時に、シリアル／パラレル変換部３２２からのデータに対してエラーレートの検出を行うと共に、検出したエラーレートを制御部３６０に通知する。
【００３８】
制御部３６０は、無線通信装置３００の全体の制御を行うものであり、例えば、「調整モード」か「通常モード」かの制御や、「調整モード」時における、エラーレート検出部３１２から通知されたエラーレートに基づいた減衰器３５０の減衰量の再設定などを行う。これらについて、後に詳細に説明する。
【００３９】
次いで、無線基地局２００と無線通信装置３００の各機能ブロックの詳細について、上り信号と関連する構成要素を説明する。
【００４０】
＜無線通信装置３００側＞
信号処理部３１０におけるテストデータ出力部３１１は、制御部３６０により制御され、調整モード時にのみ動作する。テストデータ出力部３１１は、調整モード時に、テストデータを変換部３２０のパラレル／シリアル変換部３２１に出力する。テストデータ出力部３１１から出力されるテストデータは、例えば、擬似パターンとして一般的に使用されているＰＲＢＳ（Ｐｓｅｕｄｏ  Ｒａｎｄｏｍ  Ｂｉｔ  Ｓｔｒｅａｍ：擬似ランダムビット配列）である。
【００４１】
なお、通常モード時には、信号処理部３１０は、通常の通信データをパラレル／シリアル変換部３２１に出力する。
【００４２】
変換部３２０において、パラレル／シリアル変換部３２１は、パラレルデータである信号処理部３１０からのデータ（通常モード時には通常の通信データ、調整モード時にはテストデータ）をシリアルデータに変換して光モジュール３４０の電／光変換部３４１に出力する。
【００４３】
光モジュール３４０において、電／光変換部３４１と光出力部３４３は、光送信器を構成する。電／光変換部３４１は、パラレル／シリアル変換部３２１により得られたシリアルデータを光信号に変換して光出力部３４３に出力する。光出力部３４３は、増幅器やバッファなどにより構成され、電／光変換部３４１により得られた光信号に対して増幅などの処理を施して光ケーブル１０４に送出する。
【００４４】
＜無線基地局２００側＞
無線通信装置３００から、具体的には、光モジュール３４０の光出力部３４３から送出された光信号は、光ケーブル１０４を介して、無線基地局２００の減衰器２５０に入力される。
【００４５】
減衰器２５０は、減衰量が設定されており、光ケーブル１０４を介して入力された光信号を設定量の分減衰させて光モジュール２４０の光入力部２４４に出力する。
【００４６】
光モジュール２４０において、光入力部２４４と光／電変換部２４２は、光受信器を構成する。光入力部２４４は、増幅器やバッファなどにより構成され、減衰器２５０により減衰された光信号に対して増幅などの処理を施して光／電変換部２４２に出力する。
【００４７】
光／電変換部２４２は、光入力部２４４からの光信号を電気信号に変換してイコライザ２３０に出力する。
【００４８】
また、光モジュール２４０において、レベル測定部２４６は、制御部２６０により制御され、調整モード時にのみ動作する。レベル測定部２４６は、調整モード時に、光入力部２４４に入力される光信号のレベルを測定して制御部２６０に通知する。
【００４９】
イコライザ２３０は、光／電変換部２４２により得られた電気信号に対して、波形最適化処理（イコライジング）を施して変換部２２０のシリアル／パラレル変換部２２２に出力する。
【００５０】
シリアル／パラレル変換部２２２は、シリアルデータであるイコライザ２３０からのデータをパラレルデータに変換して信号処理部２１０に出力する。
【００５１】
信号処理部２１０において、シリアル／パラレル変換部２２２からのパラレルデータは、図示しない後段の機能ブロックに出力されると共に、エラーレート検出部２１２に入力される。
【００５２】
エラーレート検出部２１２は、制御部２６０により制御され、調整モード時にのみ動作する。エラーレート検出部２１２は、調整モード時に、シリアル／パラレル変換部２２２からのデータに対してエラーレートの検出を行うと共に、検出したエラーレートを制御部２６０に通知する。
【００５３】
無線基地局２００の制御部２６０は、無線基地局２００の全体の制御を行うものであり、例えば、「調整モード」か「通常モード」かの制御や、「調整モード」時における減衰器２５０の減衰量の調整を行う。「調整モード」時における減衰器２５０の減衰量の調整の際に、制御部２６０は、具体的には、エラーレート検出部２１２により検出されたエラーレートに基づいて、該エラーレートが所望の値になるように、減衰器２５０の減衰量を調整する。これについて、図２と図３を参照して詳細に説明する。
【００５４】
図２に示すテーブルは、調整モード時において制御部２６０により作成され、無線基地局２００が光ケーブル１０４を介して受信した光信号のレベル（すなわち減衰器２５０の入力レベル）Ｐに対応した、減衰器２５０の複数の減衰量Ｖｉ（ｉ＝０，１，・・・，ｎ）毎の、光入力部２４４の入力レベルＶｉと、イコライザ２３０の複数段（図２に示す例ではｍ段）のパラメータ変数Ｇｊ（ｊ＝１，２，・・・，ｍ）と、所望するエラーレートに対応するバスタブマージンＡｉと、イコライザ２３０のパラメータ最適値ＧｉＡ（ｏｐｔ）とを含む。
【００５５】
本実施の形態において、レベル測定部２４６は、減衰器２５０の出力レベル（すなわち光入力部２４４の入力レベルＰｉ）を測定するため、減衰器２５０の入力レベルＰは、減衰器２５０の出力レベルと、減衰器２５０の減衰量Ｖｉとの和である。例えば、レベル測定部２４６により減衰器２５０の入力レベルＰを測定するようにしてもよい。この場合、光入力部２４４の入力レベルＰｉは、減衰器２５０の入力レベルＰから、減衰器２５０の減衰量Ｖｉを減算した値となる。
【００５６】
イコライザ２３０のパラメータ変数Ｇｊは、例えば、通常知られているゲイン特性などのフィルタ設定値である。
【００５７】
バスタブマージンＡｉとイコライザ２３０のパラメータの最適値ＧｉＡ（ｏｐｔ）及びそれらの決定手法の例について、図３を参照して説明する。
【００５８】
図３において、縦軸は、エラーレートであり、横軸は、イコライザ２３０のパラメータ変数である。また、曲線Ｌは、バスタブ曲線であり、実線の部分が実測値を示し、点線の部分が制御部２６０により算出された部分を示す。
【００５９】
まず、ある時間内で測定できるエラーレートのレベル（図３に示す例の場合は、１ｅ―６）を予め決定しておき、実測により、該レベル以上の各エラーレートと、イコライザ２３０のパラメータ変数との対応関係を示す曲線（バスタブ曲線Ｌの実線部分）を得る。そして、所望のエラーレートのレベル（図示の例では、１ｅ−１２）に対応するバスタブマージンＡｉを求めるために、制御部２６０は、実測によって得られた曲線の外挿を行い、バスタブ曲線Ｌの点線部分を得る。
【００６０】
バスタブ曲線Ｌ上における点Ｗ１から点Ｗ２間のイコライザ２３０のパラメータ変数の範囲は、１ｅ−１２のエラーレートに対応するバスタブマージンＡｉである。点Ｗ１は、縦軸（エラーレート）の値が１ｅ−１２であり、横軸（イコライザ２３０のパラメータ変数）の値が、１ｅ−１２のエラーレートに対応するバスタブマージンの範囲内におけるイコライザ２３０のパラメータ変数の最小値（Ｇｉ（ｍｉｎ）である）。また、点Ｗ２は、縦軸の値が１ｅ−１２であり、横軸の値が、１ｅ−１２のエラーレートに対応するバスタブマージンの範囲内におけるイコライザ２３０のパラメータ変数の最大値（Ｇｉ（ｍａｘ）である）。
【００６１】
制御部２６０は、このようにして、すなわち光入力部２４４の入力レベルＰｉ毎に（すなわち減衰器２５０の減衰量Ｖｉ毎に）バスタブマージンＡｉを算出すると共に、算出したバスタブマージンＡｉから、イコライザ２３０のパラメータ最適値ＧｉＡ（ｏｐｔ）を求める。
【００６２】
本実施の形態において、制御部２６０は、上記において求められたバスタブマージンＡｉの中心点（図中点Ｗ）の横軸の値を、光入力部２４４の入力レベルＰｉに対応するイコライザ２３０のパラメータ最適値ＧｉＡ（ｏｐｔ）として求める。このようにして、図２のテーブルが得られる。
【００６３】
次いで、制御部２６０は、図２に示すテーブルに基づいて減衰器２５０の減衰量と、イコライザ２３０のパラメータ変数を決定する。具体的には、制御部２６０は、まず、式（１）に従って、イコライザ２３０のパラメータ最適値ＧｉＡ（ｏｐｔ）の平均値ＧＡ（ａｖｇ）を求める。
【数１】
2014179751.tif 000003
【００６４】
そして、制御部２６０は、Ｇ０Ａ（ｏｐｔ）、Ｇ１Ａ（ｏｐｔ）、Ｇ２Ａ（ｏｐｔ）、・・・、ＧｎＡ（ｏｐｔ）における、平均値ＧＡ（ａｖｇ）より大きいパラメータ変数のうちの最小値をイコライザ２３０のパラメータ変数（以下「目的パラメータ変数ＧＡＸ」という）に決定すると共に、減衰器２５０の減衰量を、図２に示すテーブルにおいて、目的パラメータ変数ＧＡＸに対応する減衰器２５０の減衰量（以下「目的減衰量ＶＡＸ」という）に決定する。
【００６５】
最後に、制御部２６０は、上記にて決定した目的減衰量ＶＡＸと目的パラメータ変数ＧＡＸを減衰器２５０とイコライザ２３０に夫々設定して、調整を終了する。
【００６６】
例えば、減衰器２５０のデフォルト設定がＶ０（例えば０ｄＢ）であり、図２に示すテーブル内の各減衰量Ｖｉが、Ｖｎ＞Ｖ（ｎ−１）＞・・・＞Ｖ２＞Ｖ１＞Ｖ０の関係を有する場合、制御部２６０は、図２に示すテーブルを求めた後、まず、減衰器２５０のデフォルト設定Ｖ０に対応するイコライザ２３０のパラメータ最適値Ｇ０Ａ（ｏｐｔ）と、平均値ＧＡ（ａｖｇ）とを比較する。
【００６７】
イコライザ２３０のパラメータ最適値Ｇ０Ａ（ｏｐｔ）が平均値ＧＡ（ａｖｇ）より大きい場合には、制御部２６０は、減衰器２５０の減衰量を調整せずに、デフォルト設定Ｖ０のままにすると共に、イコライザ２３０のパラメータ変数（目的パラメータ変数ＧＡＸ）をＧ０Ａ（ｏｐｔ）に設定する。
【００６８】
一方、イコライザ２３０のパラメータ最適値Ｇ０Ａ（ｏｐｔ）が平均値ＧＡ（ａｖｇ）以下である場合には、制御部２６０は、デフォルト設定Ｖ０より１つ大きい減衰量Ｖ１に対応するイコライザ２３０のパラメータ最適値Ｇ１Ａ（ｏｐｔ）と、平均値ＧＡ（ａｖｇ）とを比較する。そして、イコライザ２３０のパラメータ最適値Ｇ１Ａ（ｏｐｔ）が平均値ＧＡ（ａｖｇ）より大きい場合には、制御部２６０は、減衰器２５０の減衰量をＶ１に調整すると共に、イコライザ２３０のパラメータ変数（目的パラメータ変数ＧＡＸ）をＧ１Ａ（ｏｐｔ）に設定する。
【００６９】
イコライザ２３０のパラメータ最適値Ｇ１Ａ（ｏｐｔ）も平均値ＧＡ（ａｖｇ）以下である場合には、制御部２６０は、さらに、減衰量Ｖ１より１つ大きい減衰量Ｖ２に対応するイコライザ２３０のパラメータ最適値Ｇ２Ａ（ｏｐｔ）と、平均値ＧＡ（ａｖｇ）とを比較する。そして、イコライザ２３０のパラメータ最適値Ｇ２Ａ（ｏｐｔ）が平均値ＧＡ（ａｖｇ）より大きい場合には、制御部２６０は、減衰器２５０の減衰量をＶ２に調整すると共に、イコライザ２３０のパラメータ（目的パラメータ変数ＧＡＸ）をＧ２Ａ（ｏｐｔ）に設定する。
【００７０】
制御部２６０は、このようにして目的減衰量ＶＡＸと目的パラメータ変数ＧＡＸを決定して減衰器２５０とイコライザ２３０に夫々設定する。
【００７１】
無線通信装置３００における制御部３６０は、制御部２６０と同様の流れで無線通信装置３００の減衰器３５０とイコライザ３３０に対して、目的減衰量ＶＢＸと目的パラメータ変数ＧＢＸを夫々決定して設定する。図４は、図２に対応し、調整モード時に制御部３６０が作成したテーブルの例であり、図５は、図３に対応し、御部３６０が図４に示すバスタブマージンＢｉとイコライザ３３０のパラメータの最適値ＧｉＢ（ｏｐｔ）の決定手法を示す例である。
【００７２】
制御部３６０は、まず、図４に示すテーブルを作成し、さらに、下記の式（２）に従って、イコライザ２３０のパラメータ最適値ＧｉＢ（ｏｐｔ）の平均値ＧＢ（ａｖｇ）を求める。
【数２】
2014179751.tif 000004
【００７３】
次に、制御部３６０は、Ｇ０Ｂ（ｏｐｔ）、Ｇ１Ｂ（ｏｐｔ）、Ｇ２Ｂ（ｏｐｔ）、・・・、ＧｎＢ（ｏｐｔ）における、平均値ＧＢ（ａｖｇ）より大きいパラメータ変数のうちの最小値をイコライザ３３０のパラメータ変数（目的パラメータ変数ＧＢＸ）に決定してイコライザ３３０に対して設定すると共に、減衰器３５０の減衰量を、図４に示すテーブルにおいて、目的パラメータ変数ＧＢＸに対応する減衰器３５０の減衰量（目的減衰量ＶＢＸ）に決定して減衰器３５０に対して設定する。
【００７４】
図６は、通信システム１００における処理の流れの例を示すフローチャートである。本実施の形態において、無線基地局２００と無線通信装置３００は、例えば通信システム１００の設置後の運用開始前に、調整モードに切り替えて上述したように夫々の減衰器の目的減衰量とイコライザの目的パラメータ変数の決定と設定を行い、調整の完了後に通常モードに切り替える。
【００７５】
図６に示すように、無線基地局２００と無線通信装置３００は、起動した（Ｓ１００）後に、制御部２６０と制御部３６０が、無線基地局２００と無線通信装置３００間のリンクが確立したか否かを確認する（Ｓ２００、Ｓ３００）。
【００７６】
無線基地局２００と無線通信装置３００間のリンクが確立したならば（Ｓ２００：Ｙｅｓ、Ｓ３００：Ｙｅｓ）、無線基地局２００の制御部２６０は、調整モードへの切替えを行う（Ｓ２０２）。これにより、無線基地局２００から無線通信装置３００にテスト信号が送信される（Ｓ２０４）。同時に、無線通信装置３００の制御部３６０も、調整モードへの切替えを行う（Ｓ３０２）。これにより、無線通信装置３００から無線基地局２００にテスト信号が送信される（Ｓ３０４）。
【００７７】
そして、無線基地局２００において、レベル測定部２４６は、光入力部２４４の入力レベルＰｉを測定して制御部２６０に通知する（Ｓ２０６）。
【００７８】
次に、制御部２６０は、所望のエラーレートに対応するバスタブマージンＡ０を算出すると共に、バスタブマージンＡ０の中間値に対応するイコライザ２３０のパラメータ最適値Ｇ０Ａ（ｏｐｔ）を算出する（Ｓ２０８）。次に、制御部２６０は、減衰器２５０の減衰量を１つ大きい値Ｖｉに設定する。その後、レベル測定部２４６による入力レベルＰｉの測定と、制御部３６０によるバスタブマージンＡｉとパラメータ最適値ＧｉＡ（ｏｐｔ）の算出は、ｉがｎになるまで繰り返され、図２に示すテーブルが作成される（Ｓ２０６、Ｓ２０８）。
【００７９】
次いで、制御部２６０は、各パラメータ最適値ＧｉＡ（ｏｐｔ）の平均値ＧＡ（ａｖｇ）を算出する（Ｓ２１０）と共に、Ｇ０Ａ（ｏｐｔ）、Ｇ１Ａ（ｏｐｔ）、Ｇ２Ａ（ｏｐｔ）、・・・、ＧｎＡ（ｏｐｔ）における、平均値ＧＡ（ａｖｇ）より大きいパラメータ変数のうちの最小値をイコライザ２３０の目的パラメータ変数ＧＡＸに決定して設定すると共に、目的パラメータ変数ＧＡＸに対応する減衰器２５０の減衰量を目的減衰量ＶＡＸとして減衰器２５０に対して設定する（Ｓ２１２、Ｓ２１４）。勿論、目的減衰量ＶＡＸが減衰器２５０のデフォルトの減衰量Ｖ０であるときには、制御部２６０は、減衰器２５０に対する減衰量の再設定をしない。
【００８０】
無線基地局２００側の上記処理に並行して、無線通信装置３００において、レベル測定部３４６は、光入力部３４４の入力レベルＰｉを測定して制御部３６０に通知する（Ｓ３０６）。
【００８１】
次に、制御部３６０は、所望のエラーレートに対応するバスタブマージンＢ０を算出すると共に、バスタブマージンＢ０の中間値に対応するイコライザ３３０のパラメータ最適値Ｇ０Ｂ（ｏｐｔ）を算出する（Ｓ３０８）。次に、制御部３６０は、減衰器３５０の減衰量を１つ大きい値Ｖｉに設定する。その後、レベル測定部３４６による入力レベルＰｉの測定と、制御部３６０によるバスタブマージンＢｉとパラメータ最適値ＧｉＢ（ｏｐｔ）の算出は、ｉがｎになるまで繰り返され、図４に示すテーブルが作成される（Ｓ３０６、Ｓ３０８）。
【００８２】
次いで、制御部３６０は、各パラメータ最適値ＧｉＢ（ｏｐｔ）の平均値ＧＢ（ａｖｇ）を算出する（Ｓ３１０）と共に、Ｇ０Ｂ（ｏｐｔ）、Ｇ１Ｂ（ｏｐｔ）、Ｇ２Ｂ（ｏｐｔ）、・・・、ＧｎＢ（ｏｐｔ）における、平均値ＧＢ（ａｖｇ）より大きいパラメータ変数のうちの最小値をイコライザ３３０の目的パラメータ変数ＧＢＸに決定して設定すると共に、目的パラメータ変数ＧＢＸに対応する減衰器３５０の減衰量を目的減衰量ＶＢＸとして減衰器３５０に対して設定する（Ｓ３１２、Ｓ３１４）。勿論、目的減衰量ＶＢＸが減衰器３５０のデフォルトの減衰量Ｖ０であるときには、制御部３６０は、減衰器３５０に対する減衰量の再設定をしない。
【００８３】
無線基地局２００及び無線通信装置３００は、夫々の減衰器の減衰量、及びイコライザのパラメータの設定が完了すると、動作モードを通常モードに切り替える（Ｓ３５０）。これにより、通信システム１００は、通常動作を開始する。
【００８４】
一方、ステップＳ２００とＳ３００において、無線基地局２００と無線通信装置３００間のリンクが確立されない場合には（Ｓ２００：Ｎｏ、Ｓ３００：Ｎｏ）、制御部２６０と制御部３６０は、夫々無線基地局２００と無線通信装置３００をリセットするか動作を停止させる（Ｓ３６０）。
【００８５】
このように、本実施の形態にかかる通信システム１００によれば、無線基地局２００と無線通信装置３００は、相手側から受信した信号のエラーレートが所望のエラーレートになるように夫々の減衰器の減衰量を調整するため、無線基地局と無線通信装置の両方における受信品質を保つことができる。
【００８６】
また、通信システム１００の無線基地局２００と無線通信装置３００は、夫々のイコライザのパラメータ変数を目的減衰量に対応するパラメータ最適値（目的パラメータ変数ＧＡＸ、または目的パラメータ変数ＧＢＸ）に調整するため、減衰量の調整と同時に、イコライザのパラメータも最適な値に調整することができる。
【００８７】
＜第２の実施の形態＞
図６は、本発明の第２の実施の形態にかかる通信システム４００を示す。通信システム４００は、無線基地局５００と無線通信装置６００を備える。無線通信装置６００は、光伝送路により無線基地局５００と接続されており、該光伝送路を介して無線基地局５００と光通信が可能であると共に、無線端末と無線通信を行うことができ、無線端末と無線基地局５００間の通信を中継する。
【００８８】
本実施の形態の通信システム４００において、無線基地局５００と無線通信装置６００を接続する光伝送路は、１芯双方向の光伝送路であり、光上り信号と下り信号は、共に光ケーブル４０２により伝送される。
【００８９】
無線基地局５００は、信号処理部２１０、変換部２２０、イコライザ２３０、光モジュール５４０、減衰器２５０、制御部５６０を備える。無線通信装置６００は、信号処理部３１０、変換部３２０、イコライザ３３０、光モジュール６４０、減衰器３５０、制御部６６０を備える。通信システム４００に対して、通信システム１００と異なる点のみを説明する。
【００９０】
通信システム４００では、調整モード時において、無線基地局５００側の減衰器２５０と、無線通信装置６００の減衰器３５０の片方のみ減衰量が調整される。減衰器２５０と減衰器３５０のいずれの片方を調整するかは、予め設定するようにしてもよいし、無線基地局５００の制御部５６０と、無線通信装置６００の制御部６６０とが、その都度ネゴシエーションして決定するようにしてもよい。本実施の形態においては、例として、無線基地局５００側の減衰器２５０のみが調整されるように、予め設定されているとする。
【００９１】
無線基地局５００において、光モジュール５４０は、通信システム１００の無線基地局２００における光モジュール２４０の各機能ブロック以外に、さらに、ＷＤＭ（Ｗａｖｅｌｅｎｇｔｈ  Ｄｉｖｉｓｉｏｎ  Ｍｕｌｔｉｐｌｅｘ）フィルタ５４２を備える。
【００９２】
ＷＤＭフィルタ５４２は、ある波長の光信号を透過する一方、別の波長の光信号を反射する性質を有し、光出力部２４３から出力した下りの光信号を透過して減衰器２５０に出力する。一方、光ケーブル４０２を介して受信した無線通信装置６００からの上り信号は、減衰器２５０を通った後、ＷＤＭフィルタ５４２により光入力部２４４に反射される。
【００９３】
無線通信装置６００において、光モジュール６４０は、通信システム１００の無線通信装置３００における光モジュール３４０の各機能ブロック以外に、さらに、ＷＤＭフィルタ６４２を備える。
【００９４】
ＷＤＭフィルタ６４２は、ＷＤＭフィルタ５４２と同様の性質を有し、光出力部３４３から出力した上りの光信号を透過して減衰器３５０に出力する。一方、光ケーブル４０２を介して受信した無線基地局５００からの下り信号は、減衰器３５０を通った後、ＷＤＭフィルタ６４２により光入力部３４４に反射される。
【００９５】
すなわち、通信システム４００において、下り信号の、無線基地局５００の光モジュール５４０から出力されてから、無線通信装置６００の光モジュール６４０に入力されるまでの減衰量は、減衰器２５０と減衰器３５０の減衰量の和である。同様に、上り信号の、無線通信装置６００の光モジュール６４０から出力されてから、無線基地局５００の光モジュール５４０に入力されるまでの減衰量も、減衰器３５０と減衰器２５０の減衰量の和である。
【００９６】
調整モード時において、無線基地局５００の制御部５６０は、図８に示すテーブルを作成し、無線通信装置６００の制御部６６０は、図９に示すテーブルを作成する。これらのテーブルの具体的な作成手法については、第１の実施の形態時に説明したのと同様であるため、ここで詳細な説明を省略する。
【００９７】
本実施の形態において、無線通信装置６００側の減衰器３５０の減衰量が調整されないため、無線通信装置６００の制御部３６０は、図９に示すテーブルの作成後、減衰器２５０の減衰量Ｖｉ毎の、イコライザ３３０のパラメータ最適値ＧｉＢ（ｏｐｔ）を無線基地局２００に通知する。
【００９８】
無線基地局５００において、図８に示すテーブルと、無線通信装置６００から通知されたイコライザ３３０の各パラメータ最適値ＧｉＢ（ｏｐｔ）とに基づいて、目的減衰量ＶＡＸと目的パラメータ変数ＧＡＸを決定して減衰器２５０とイコライザ２３０に対して夫々設定すると共に、目的減衰量ＶＡＸを無線通信装置６００に通知する。
【００９９】
無線通信装置６００の制御部３６０は、無線基地局５００から通知された目的減衰量ＶＡＸに基づいて、図９に示すテーブルにおける、目的減衰量ＶＡＸに対応するイコライザ３３０のパラメータ最適値を目的パラメータ変数ＧＢＸに決定してイコライザ３３０に対して設定する。
【０１００】
ここで、図１０を参照して、無線基地局５００の制御部５６０による減衰器２５０の目的減衰量ＶＡＸ、目的パラメータ変数ＧＡＸの決定手法の例を説明する。なお、減衰器２５０の減衰量のデフォルト設定は、Ｖ０〜Ｖｎのうちの最小値のＶ０である。
【０１０１】
制御部５６０は、まず、図８に示すテーブルに基づいて、イコライザ２３０の各パラメータ最適値ＧｉＡ（ｏｐｔ）の平均値ＧＡ（ａｖｇ）を求めると共に、無線通信装置６００から通知されたイコライザ３３０の各パラメータ最適値ＧｉＢ（ｏｐｔ）の平均値ＧＢ（ａｖｇ）を求める。
【０１０２】
そして、制御部５６０は、Ｇ０Ａ（ｏｐｔ）、Ｇ１Ａ（ｏｐｔ）、Ｇ２Ａ（ｏｐｔ）、・・・、ＧｎＡ（ｏｐｔ）における、平均値ＧＡ（ａｖｇ）より大きいパラメータ変数のうちの最小値に対応する減衰器２５０の減衰量を第１の仮目的減衰量ＶＡＸ１として求めると共に、Ｇ０Ｂ（ｏｐｔ）、Ｇ１Ｂ（ｏｐｔ）、Ｇ２Ｂ（ｏｐｔ）、・・・、ＧｎＢ（ｏｐｔ）における、平均値ＧＢ（ａｖｇ）より大きいパラメータ変数のうちの最小値に対応する減衰器２５０の減衰量を第２の仮目的減衰量ＶＡＸ２として求める。そして、制御部５６０は、第１の仮目的減衰量ＶＡＸ１と第２の仮目的減衰量ＶＡＸ２のうちの小さい方を目的減衰量ＶＡＸに決定すると共に、図８に示すテーブルにおける、目的減衰量ＶＡＸに対応するイコライザ２３０のパラメータ最適値を目的パラメータ変数ＧＡＸに決定する。
【０１０３】
例えば、図１０に示すように、制御部５６０は、まず、無線基地局５００側におけるイコライザ２３０のパラメータ最適値Ｇ０Ａ（ｏｐｔ）と平均値ＧＡ（ａｖｇ）の比較、及び、無線通信装置６００におけるイコライザ３３０のパラメータ最適値Ｇ０Ｂ（ｏｐｔ）と平均値ＧＢ（ａｖｇ）の比較を行う。
【０１０４】
上記比較の結果、Ｇ０Ａ（ｏｐｔ）が平均値ＧＡ（ａｖｇ）より大きく、かつ、Ｇ０Ｂ（ｏｐｔ）が平均値ＧＢ（ａｖｇ）より大きい場合に、第１の仮目的減衰量ＶＡＸ１と第２の仮目的減衰量ＶＡＸ２が共にデフォルト設定Ｖ０となるため、制御部５６０は、イコライザ２３０のデフォルト設定Ｖ０を目的減衰量ＶＡＸに決定する。この場合、イコライザ２３０の目的パラメータ変数ＧＡＸは、Ｇ０Ａ（ｏｐｔ）になり、イコライザ３３０の目的パラメータ変数ＧＢＸは、Ｇ０Ｂ（ｏｐｔ）になる。
【０１０５】
それ以外の場合、制御部５６０は、Ｇ１Ａ（ｏｐｔ）、Ｇ２Ａ（ｏｐｔ）、・・・、ＧｎＡ（ｏｐｔ）における、平均値ＧＡ（ａｖｇ）より大きいパラメータ変数のうちの最小値に対応する減衰器２５０の減衰量を第１の仮目的減衰量ＶＡＸ１として求めると共に、Ｇ１Ｂ（ｏｐｔ）、Ｇ２Ｂ（ｏｐｔ）、・・・、ＧｎＢ（ｏｐｔ）における、平均値ＧＢ（ａｖｇ）より大きいパラメータ変数のうちの最小値に対応する減衰器２５０の減衰量を第２の仮目的減衰量ＶＡＸ２として求める。そして、制御部５６０は、第１の仮目的減衰量ＶＡＸ１と第２の仮目的減衰量ＶＡＸ２のうちの小さい方を目的減衰量ＶＡＸに決定すると共に、図８に示すテーブルにおける、目的減衰量ＶＡＸに対応するイコライザ２３０のパラメータ最適値を目的パラメータ変数ＧＡＸに決定する。
【０１０６】
図１１は、通信システム４００における処理の流れの例を示すフローチャートである。図１１において、図６と同様の番号が付与されたステップは、図６における該ステップと同様の処理である。
【０１０７】
本実施の形態においても、無線基地局５００と無線通信装置６００は、通信システム４００の設置後の運用開始前に、調整モードに切り替えて、無線基地局５００側の減衰器２５０の目的減衰量ＶＡＸ及びイコライザ２３０の目的パラメータ変数ＧＡＸの設定と、無線通信装置６００側におけるイコライザ３３０の目的パラメータ変数ＧＢＸの設定とを行い、調整の完了後に通常モードに切り替える。
【０１０８】
図１１に示すように、無線基地局５００と無線通信装置６００は、起動した（Ｓ１００）後に、制御部５６０と制御部６６０が、無線基地局５００と無線通信装置６００間のリンクが確立したか否かを確認する（Ｓ２００、Ｓ３００）。
【０１０９】
無線基地局５００と無線通信装置６００間のリンクが確立したならば（Ｓ２００：Ｙｅｓ、Ｓ３００：Ｙｅｓ）、無線基地局５００の制御部５６０は、調整モードへの切替えを行う（Ｓ２０２）。これにより、無線基地局５００から無線通信装置６００にテスト信号が送信される（Ｓ２０４）。同時に、無線通信装置６００の制御部６６０も、調整モードへの切替えを行う（Ｓ３０２）。これにより、無線通信装置６００から無線基地局５００にテスト信号が送信される（Ｓ３０４）。
【０１１０】
そして、無線基地局５００において、レベル測定部２４６は、光入力部２４４の入力レベルＰｉを測定して制御部５６０に通知する（Ｓ２０６）。
【０１１１】
次に、制御部２６０は、所望のエラーレートに対応するバスタブマージンＡ０を算出すると共に、バスタブマージンＡ０の中間値に対応するイコライザ２３０のパラメータ最適値Ｇ０Ａ（ｏｐｔ）を算出する（Ｓ２０８）。次に、制御部２６０は、減衰器２５０の減衰量を１つ大きい値Ｖｉに設定する。その後、レベル測定部２４６による入力レベルＰｉの測定と、制御部３６０によるバスタブマージンＡｉとパラメータ最適値ＧｉＡ（ｏｐｔ）の算出は、ｉがｎになるまで繰り返され、図８に示すテーブルが作成される（Ｓ２０６、Ｓ２０８）。
【０１１２】
無線基地局５００側の上記処理に並行して、無線通信装置６００において、レベル測定部３４６は、光入力部３４４の入力レベルＰｉを測定して制御部６６０に通知する（Ｓ３０６）。
【０１１３】
そして、制御部６６０は、所望のエラーレートに対応するバスタブマージンＢ０を算出すると共に、バスタブマージンＢ０の中間値に対応するイコライザ３３０のパラメータ最適値Ｇ０Ｂ（ｏｐｔ）を算出する。その後、制御部６６０は、減衰器２５０の減衰量を１つ大きい値Ｖｉに設定すると共に、該値Ｖｉに対応するバスタブマージンＢｉとパラメータ最適値ＧｉＢ（ｏｐｔ）を算出する処理を、ｉがｎになるまで繰り返すことにより、図４に示すテーブルを作成する（Ｓ３０８）。
【０１１４】
次に、制御部３６０は、所望のエラーレートに対応するバスタブマージンＢ０を算出すると共に、バスタブマージンＢ０の中間値に対応するイコライザ３３０のパラメータ最適値Ｇ０Ｂ（ｏｐｔ）を算出する（Ｓ３０８）。その後、無線通信装置６００において、無線基地局５００における減衰器２５０の減衰量Ｖｉが変更される度に、レベル測定部３４６による入力レベルＰｉの測定と、制御部３６０によるバスタブマージンＢｉとパラメータ最適値ＧｉＢ（ｏｐｔ）の算出は、ｉがｎになるまで繰り返され、図９に示すテーブルが作成される（Ｓ３０６、Ｓ３０８）。
【０１１５】
無線通信装置６００の制御部６６０は、図９に示すテーブルにおけるイコライザ３３０の各パラメータ最適値ＧｉＡ（ｏｐｔ）を算出すると、それらを無線基地局５００に送信する（Ｓ５００）。
【０１１６】
無線基地局５００において、制御部５６０は、図８に示すテーブルにおけるイコライザ２３０の各パラメータ最適値ＧｉＡ（ｏｐｔ）の平均値ＧＡ（ａｖｇ）を算出すると共に、無線通信装置６００から通知されたイコライザ３３０の各パラメータ最適値ＧｉＢ（ｏｐｔ）を算出する（Ｓ４００）。
【０１１７】
次いで、制御部５６０は、減衰器２５０の目的減衰量ＶＡＸとイコライザ２３０の目的パラメータ変数ＧＡＸを決定する（Ｓ４０２）と共に、決定した目的減衰量ＶＡＸを無線通信装置６００に送信する（Ｓ４０４）。また、制御部５６０は、減衰器２５０とイコライザ２３０に対して、ステップＳ４０２で決定した目的減衰量ＶＡＸと目的パラメータ変数ＧＡＸを夫々設定する（Ｓ２１４）。勿論、目的減衰量ＶＡＸが減衰器２５０のデフォルトの減衰量Ｖ０であるときには、制御部５６０は、減衰器２５０に対する減衰量の再設定をしない。
【０１１８】
無線通信装置６００側において、無線通信装置６００は、無線基地局５００から通知されたイコライザ２３０の目的減衰量ＶＡＸに基づいて、図９に示すテーブルにおける、イコライザ２３０の減衰量が目的減衰量ＶＡＸであるときのイコライザ２３０のパラメータ最適値を目的パラメータ変数ＧＢＸに決定する（Ｓ５０２）と共に、決定した目的パラメータ変数ＧＢＸをイコライザ３３０に設定する（Ｓ５０４）。
【０１１９】
無線基地局５００及び無線通信装置６００は、減衰器２５０の減衰器の減衰量、イコライザ２３０とイコライザ３３０のパラメータの設定が完了すると、動作モードを通常モードに切り替える（Ｓ３５０）。これにより、通信システム４００は、通常動作を開始する。
【０１２０】
一方、ステップＳ２００とＳ３００において、無線基地局５００と無線通信装置６００間のリンクが確立されない場合には（Ｓ２００：Ｎｏ、Ｓ３００：Ｎｏ）、制御部５６０と制御部６６０は、夫々無線基地局５００と無線通信装置６００をリセットするか動作を停止させる（Ｓ６６０）。
【０１２１】
本第２の実施の形態によれば、無線基地局と無線通信装置が一芯双方向の光ケーブルにより接続されたシステムに対しても、第１の実施の実施の形態にかかる通信システム１００の各効果を得ることができる。
【０１２２】
以上、実施の形態をもとに本発明を説明した。実施の形態は例示であり、本発明の主旨から逸脱しない限り、上述した各実施の形態に対してさまざまな変更、増減、組合せを行ってもよい。これらの変更、増減、組合せが行われた変形例も本発明の範囲にあることは、当業者に理解されるところである。
【０１２３】
上述した実施の形態の一部または全部は、以下の付記のように記載され得るが、以下の記載に限らない。
【０１２４】
＜付記１＞
無線基地局と、
光伝送路と、
前記光伝送路により前記無線基地局と接続され、前記光伝送路を介して前記無線基地局と通信を行うことにより、前記無線基地局と無線端末間の通信を中継する無線通信装置とを備え、
前記無線基地局と前記無線通信装置は、互いに送受信の相手であり、夫々が、
相手側への送信信号を前記光伝送路に送出する光送信器と、
前記光伝送路を介して相手側から受信した信号を減衰させて光受信器に入力する減衰器と、
光／電変換を含む処理を行う前記光受信器と、
前記光受信器が出力した信号のエラーレートを検出するエラーレート検出部と、
制御部とを備え、
前記無線基地局と前記無線通信装置に夫々設けられた前記減衰器の減衰量の調整に際して、
前記無線基地局と前記無線通信装置は、夫々、
前記光送信器によりテスト信号を前記光伝送路に送出し、
前記減衰器の減衰量を段階的に異なる複数の値に順次設定すると共に、設定された前記値毎に、前記エラーレート検出部により、前記光受信器により処理を施された、相手側から受信した前記テスト信号のエラーレートを検出し、
前記制御部により、前記エラーレート検出部の検出結果に基づいて、前記エラーレートが所望の値になるように、前記減衰器の目的減衰量を決定することを特徴とする通信システム。
＜付記２＞
前記無線基地局と前記無線通信装置は、夫々、
前記光受信器が出力した信号をイコライジングするイコライザをさらに備え、
前記減衰器の減衰量の設定された前記値毎に、前記イコライザのゲインパラメータを段階的に異なる複数のゲイン値に順次設定し、
前記エラーレート検出部が、前記減衰器の減衰量の設定された前記値毎に、前記イコライザの設定された前記ゲイン値毎に、前記イコライザによりイコライジングされた信号に対して前記エラーレートを検出するものであり、
前記制御部が、
前記エラーレート検出部の検出結果に基づいて、前記減衰器の減衰量の設定された前記値毎に、前記エラーレートと前記ゲイン値との対応関係から、前記所望のエラーレートに対応する前記イコライザのゲインパラメータの最適値をを求め、
前記ゲインパラメータの各前記最適値のうちの、これらの最適値の平均値より大きい最適値の最小値を目的パラメータに決定して前記イコライザに設定すると共に、
前記減衰器の減衰量の設定された各前記値のうちの、前記最小値に対応する値を前記減衰器の目的減衰量に決定することを特徴とする付記１に記載の通信システム。
＜付記３＞
前記光伝送路は、一芯双方向の光ケーブルであり、
前記無線基地局と前記無線通信装置に備えられた前記減衰器は、片方のみ減衰量が調整され、
前記無線基地局と前記無線通信装置のうちの、減衰量が調整されない前記減衰器が設けられた片方である第１の装置の前記制御部は、前記減衰器の減衰量の設定された前記値毎に前記イコライザのパラメータの最適値を求める処理を行った後に、求められた各前記最適値を、前記無線基地局と前記無線通信装置のうちの、減衰量が調整される前記減衰器が設けられた片方である第２の装置に通知し、
前記第２の装置の前記制御部は、
該第２の装置の前記減衰器の減衰量の設定された各前記値における、前記イコライザに対して算出した前記ゲインパラメータの各前記最適値のうちの、これらの最適値の平均値より大きい最適値の最小値に対応する前記値を第１の仮目的減衰量として求め、
該第２の装置の前記減衰器の減衰量の設定された各前記値における、前記第１の装置から通知された各前記最適値のうちの、これらの最適値の平均値より大きい最適値の最小値に対応する前記値を第２の仮目的減衰量として求め、
前記第１の仮目的減衰量と前記第２の仮目的減衰量のうちの小さい方を前記目的減衰量に決定すると共に、前記第１の装置に通知し、
前記第２の装置の前記イコライザに対して算出した前記ゲインパラメータの各前記最適値のうちの、前記目的減衰量に対応する最適値を前記イコライザの前記目的パラメータに決定し、
前記第１の装置の前記制御部は、
前記第１の装置の前記イコライザに対して算出した前記ゲインパラメータの各前記最適値のうちの、前記第２の装置から通知された前記目的減衰量に対応するゲイン値を前記イコライザの前記目的パラメータに決定することを特徴とする付記２に記載の通信システム。
＜付記４＞
光伝送路を介して無線通信装置と接続され、該無線通信装置により、無線端末との通信を中継される無線基地局であって、
前記無線通信装置への送信信号を前記光伝送路に送出する光送信器と、
前記光伝送路を介して前記無線通信装置から受信した信号を減衰させて光受信器に入力する第１の減衰器と、
光／電変換を含む処理を行う前記光受信器と、
前記光受信器が出力した信号のエラーレートを検出するエラーレート検出部と、
制御部とを備え、
前記第１の減衰器と、前記無線通信装置に設けられた第２の減衰器の減衰量の調整に際して、
前記光送信器によりテスト信号を前記光伝送路に送出し、
前記第１の減衰器の減衰量を段階的に異なる複数の値に順次設定すると共に、設定された前記値毎に、前記エラーレート検出部により、前記光受信器により処理を施された、前記無線通信装置から受信した前記テスト信号のエラーレートを検出し、
前記制御部により、前記エラーレート検出部の検出結果に基づいて、前記エラーレートが所望の値になるように、前記第１の減衰器の目的減衰量を決定することを特徴とする無線基地局。
＜付記５＞
前記光受信器が出力した信号をイコライジングする第１のイコライザをさらに備え、
前記第１の減衰器の減衰量の設定された前記値毎に、前記第１のイコライザのゲインパラメータを段階的に異なる複数のゲイン値に順次設定し、
前記エラーレート検出部が、前記第１の減衰器の減衰量の設定された前記値毎に、前記第１のイコライザの設定された前記ゲイン値毎に、前記第１のイコライザによりイコライジングされた信号に対して前記エラーレートを検出するものであり、
前記制御部が、
前記エラーレート検出部の検出結果に基づいて、前記第１の減衰器の減衰量の設定された前記値毎に、前記エラーレートと前記ゲイン値との対応関係から、前記所望のエラーレートに対応する前記第１のイコライザのゲインパラメータの最適値をを求め、
前記ゲインパラメータの各前記最適値のうちの、これらの最適値の平均値より大きい最適値の最小値を目的パラメータに決定して前記第１のイコライザに設定すると共に、
前記第１の減衰器の減衰量の設定された各前記値のうちの、前記最小値に対応する値を前記第１の減衰器の目的減衰量に決定することを特徴とする付記４に記載の無線基地局。
＜付記６＞
前記光伝送路は、一芯双方向の光ケーブルであり、
前記無線基地局に設けられた前記第１の減衰器と、前記無線通信装置に設けられた前記第２の減衰器のうちに、前記第１の減衰器のみ減衰量が調整され、
前記制御部は、
前記第１の減衰器の減衰量の設定された各前記値における、前記第１のイコライザに対して算出した前記ゲインパラメータの各前記最適値のうちの、これらの最適値の平均値より大きい最適値の最小値に対応する前記値を第１の仮目的減衰量として求め、
前記第１の減衰器の減衰量の設定された各前記値における、前記無線通信装置から通知された、該無線通知装置に設けられた第２のイコライザに対して算出されたゲインパラメータの各最適値のうちの、これらの最適値の平均値より大きい最適値の最小値に対応する前記値を第２の仮目的減衰量として求め、
前記第１の仮目的減衰量と前記第２の仮目的減衰量のうちの小さい方を前記第１の減衰器の目的減衰量に決定すると共に、前記無線通信装置に通知し、
前記第１のイコライザに対して算出した前記ゲインパラメータの各前記最適値のうちの、前記目的減衰量に対応する最適値を前記第１のイコライザの前記目的パラメータに決定することを特徴とする付記５に記載の無線基地局。
＜付記７＞
前記光伝送路は、一芯双方向の光ケーブルであり、
前記無線基地局に設けられた前記第１の減衰器と、前記無線通信装置に設けられた前記第２の減衰器のうちに、前記第２の減衰器のみ減衰量が調整され、
前記制御部は、
前記第１の減衰器の減衰量の設定された前記値毎に前記第１のイコライザのパラメータの最適値を求める処理を行った後に、求められた各前記最適値を、前記無線通信装置に通知し、
各前記最適値のうちの、前記無線通信装置から通知された前記第２の減衰器の目的減衰量に対応する最適値を前記第１のイコライザの目的パラメータに決定することを特徴とする付記５に記載の無線基地局。
＜付記８＞
光伝送路を介して無線基地局と接続され、無線基地局と無線端末間の通信を中継する無線通信装置であって、
前記無線基地局への送信信号を前記光伝送路に送出する光送信器と、
前記光伝送路を介して前記無線基地局から受信した信号を減衰させて光受信器に入力する第２の減衰器と、
光／電変換を含む処理を行う前記光受信器と、
前記光受信器が出力した信号のエラーレートを検出するエラーレート検出部と、
制御部とを備え、
前記第２の減衰器と、前記無線基地局に設けられた第１の減衰器の減衰量の調整に際して、
前記光送信器によりテスト信号を前記光伝送路に送出し、
前記第２の減衰器の減衰量を段階的に異なる複数の値に順次設定すると共に、設定された前記値毎に、前記エラーレート検出部により、前記光受信器により処理を施された、前記無線基地局から受信した前記テスト信号のエラーレートを検出し、
前記制御部により、前記エラーレート検出部の検出結果に基づいて、前記エラーレートが所望の値になるように、前記第２の減衰器の目的減衰量を決定することを特徴とする無線通信装置。
＜付記９＞
前記光受信器が出力した信号をイコライジングする第２のイコライザをさらに備え、
前記第２の減衰器の減衰量の設定された前記値毎に、前記第２のイコライザのゲインパラメータを段階的に異なる複数のゲイン値に順次設定し、
前記エラーレート検出部が、前記第２の減衰器の減衰量の設定された前記値毎に、前記第２のイコライザの設定された前記ゲイン値毎に、前記第２のイコライザによりイコライジングされた信号に対して前記エラーレートを検出するものであり、
前記制御部が、
前記エラーレート検出部の検出結果に基づいて、前記第２の減衰器の減衰量の設定された前記値毎に、前記エラーレートと前記ゲイン値との対応関係から、前記所望のエラーレートに対応する前記第２のイコライザのゲインパラメータの最適値をを求め、
前記ゲインパラメータの各前記最適値のうちの、これらの最適値の平均値より大きい最適値の最小値を目的パラメータに決定して前記第２のイコライザに設定すると共に、
前記第２の減衰器の減衰量の設定された各前記値のうちの、前記最小値に対応する値を前記第２の減衰器の目的減衰量に決定することを特徴とする付記８に記載の無線通信装置。
＜付記１０＞
前記光伝送路は、一芯双方向の光ケーブルであり、
前記無線基地局に設けられた前記第１の減衰器と、前記無線通信装置に設けられた前記第２の減衰器のうちに、前記第２の減衰器のみ減衰量が調整され、
前記制御部は、
前記第２の減衰器の減衰量の設定された各前記値における、前記第２のイコライザに対して算出した前記ゲインパラメータの各前記最適値のうちの、これらの最適値の平均値より大きい最適値の最小値に対応する前記値を第１の仮目的減衰量として求め、
前記第２の減衰器の減衰量の設定された各前記値における、前記無線基地局から通知された、該無線基地局に設けられた第１のイコライザに対して算出されたゲインパラメータの各最適値のうちの、これらの最適値の平均値より大きい最適値の最小値に対応する前記値を第２の仮目的減衰量として求め、
前記第１の仮目的減衰量と前記第２の仮目的減衰量のうちの小さい方を前記第２の減衰器の目的減衰量に決定すると共に、前記無線基地局に通知し、
前記第２のイコライザに対して算出した前記ゲインパラメータの各前記最適値のうちの、前記目的減衰量に対応する最適値を前記第２のイコライザの前記目的パラメータに決定することを特徴とする付記９に記載の無線通信装置。
＜付記１１＞
前記光伝送路は、一芯双方向の光ケーブルであり、
前記無線基地局に設けられた前記第１の減衰器と、前記無線通信装置に設けられた前記第２の減衰器のうちに、前記第１の減衰器のみ減衰量が調整され、
前記制御部は、
前記第２の減衰器の減衰量の設定された前記値毎に前記第２のイコライザのパラメータの最適値を求める処理を行った後に、求められた各前記最適値を、前記無線基地局に通知し、
各前記最適値のうちの、前記無線基地局から通知された前記第１の減衰器の目的減衰量に対応する最適値を前記第２のイコライザの目的パラメータに決定することを特徴とする付記９に記載の無線通信装置。
【符号の説明】
【０１２５】
１００  通信システム
１０２  光ケーブル
１０４  光ケーブル
２００  無線基地局
２１０  信号処理部
２１１  テストデータ出力部
２１２  エラーレート検出部
２２０  変換部
２２１  パラレル／シリアル変換部
２２２  シリアル／パラレル変換部
２３０  イコライザ
２４０  光モジュール
２４１  電／光変換部
２４２  光／電変換部
２４３  光出力部
２４４  光入力部
２４６  レベル測定部
２５０  減衰器
２６０  制御部
３００  無線通信装置
３１０  信号処理部
３１１  テストデータ出力部
３１２  エラーレート検出部
３２０  変換部
３２１  パラレル／シリアル変換部
３２２  シリアル／パラレル変換部
３３０  イコライザ
３４０  光モジュール
３４１  電／光変換部
３４２  光／電変換部
３４３  光出力部
３４４  光入力部
３４６  レベル測定部
３５０  減衰器
３６０  制御部
４００  通信システム
４０２  光ケーブル
５００  無線基地局
５４０  光モジュール
５４２  ＷＤＭフィルタ
５６０  制御部
６００  無線通信装置
６４０  光モジュール
６４２  ＷＤＭフィルタ
６６０  制御部
【図１】
2014179751.tif 000005
【図２】
2014179751.tif 000006
【図３】
2014179751.tif 000007
【図４】
2014179751.tif 000008
【図５】
2014179751.tif 000009
【図６】
2014179751.tif 000010
【図７】
2014179751.tif 000011
【図８】
2014179751.tif 000012
【図９】
2014179751.tif 000013
【図１０】
2014179751.tif 000014
【図１１】
2014179751.tif 000015